(57)【要約】電子機器としての光ディスク再生装置１の筺体２０を構成する天板４の内面に光触媒層１０を設け、さらに光ディスク再生装置１に内蔵される光ディスクドライブ２の筺体２ａの外表面に、該光触媒層１０に光を照射できるように発光ダイオード１１を設け、光触媒層１０を形成する光触媒の触媒効果により揮発性有機化合物を分解する。
2007148489.tif 000002
【特許請求の範囲】
【請求項１】
電子部品と、該電子部品を備えた基板と、機械機構部品と、のうち少なくとも１つを内蔵する筺体を備えた電子機器において、
前記筺体内の少なくとも一つの面に設けられる光触媒物質と、
前記光触媒物質へ光を照射する発光手段と、
を備えたことを特徴とする電子機器。
【請求項２】
前記光触媒物質が、前記筺体内の天板に備えられたことを特徴とする請求項１に記載の電子機器。
【請求項３】
前記光触媒物質が、前記筺体内の側板に備えられたことを特徴とする請求項１または２に記載の電子機器。
【請求項４】
前記筺体内の温度を検出する温度検出手段と、前記温度検出手段が検出した温度に基づいて前記発光手段の発光または消灯の制御を行う発光制御手段と、を備えたことを特徴とする請求項１乃至３のうちいずれか一項に記載の電子機器。
【請求項５】
前記発光制御手段が、前記温度検出手段において検出した温度が所定値以上である場合は、前記発光手段を点灯させ、前記温度検出手段において検出した温度が所定値未満である場合は、前記発光手段を消灯させるように制御することを特徴とする請求項４に記載の電子機器。
【発明の詳細な説明】
【技術分野】
【０００１】
本発明は、構成する部品等から揮発する揮発性有機化合物を抑制する電子機器に関する。
【背景技術】
【０００２】
電子機器としての光ディスク再生装置は、例えば図１に示すような構成となっている。図１に示した光ディスク再生装置１０１は、光ディスクドライブ１０２と、チューナユニット１０３と、天板１０４と、製品表示パネル１０５と、側板１０６、１０７、１０８と、底板１０９とを備えている。【０００３】
光ディスクドライブ１０２は、ＣＤ（Compact Disc）やＤＶＤ（Digital Versatile Disk）などの光ディスクを再生する装置であり、図示しない光ピックアップや、モータ、光ディスクを挿入／排出あるいは回転させるための機械機構部品、制御するための電子回路を構成する電子部品が実装された基板を備えており、これらは全て箱型に形成された光ディスクドライブ筺体１０２ａ内に内蔵されている。【０００４】
チューナユニット１０３は、ＡＭおよびＦＭのラジオ放送を受信する装置であり、チューナ回路を構成する電子部品が実装された基板と、前記基板を内蔵する箱型のチューナ筺体を備えている。【０００５】
天板１０４は、光ディスク再生装置１０１の筺体の一部を構成し、矩形に形成された天板１０４の端部が、底板１０９と平行かつ製品表示パネル１０５と、側板１０６、１０７、１０８と鉛直になるように製品表示パネル１０５と、側板１０６、１０７、１０８に取り付けられる。【０００６】
製品表示パネル１０５は、光ディスク再生装置１０１の筺体の一部を構成し、矩形に形成された製品表示パネル１０５の端部が、天板１０４、側板１０６、１０７および底板１０９と鉛直かつ、側板１０８と平行になるように天板１０４、側板１０６、１０７および底板１０９に取り付けられる。また、製品表示パネル１０５は、外面に各種操作を行うためのボタンやツマミおよび表示画面などを備えている。【０００７】
側板１０６は、光ディスク再生装置１０１の筺体の一部を構成し、矩形に形成された側板１０６の端部が、天板１０４、製品表示パネル１０５、側板１０８および底板１０９と鉛直かつ、側板１０７と平行になるように天板１０４、製品表示パネル１０５、側板１０８および底板１０９に取り付けられる。【０００８】
側板１０７は、光ディスク再生装置１０１の筺体の一部を構成し、矩形に形成された側板１０７の端部が、天板１０４、製品表示パネル１０５、側板１０８および底板１０９と鉛直かつ、側板１０６と平行になるように天板１０４、製品表示パネル１０５、側板１０８および底板１０９に取り付けられる。【０００９】
側板１０８は、光ディスク再生装置１０１の筺体の一部を構成し、矩形に形成された側板１０８の端部が、天板１０４、側板１０６、１０７および底板１０９と鉛直かつ、製品表示パネル１０５と平行になるように天板１０４、側板１０６、１０７および底板１０９に取り付けられる。また、側板１０８は、光ディスクドライブ１０２およびチューナユニット１０３からの音声や映像の図示しない出力端子や、光ディスクドライブ１０２およびチューナユニット１０３に供給する電源の図示しない電源端子などを備えている。【００１０】
底板１０９は、光ディスク再生装置１０１の筺体の一部を構成し、矩形に形成された底板１０９の端部が、製品表示パネル１０５、側板１０６、１０７、１０８と鉛直かつ、天板１０４と平行になるように製品表示パネル１０５、側板１０６、１０７、１０８に取り付けられる。底板９には光ディスクドライブ１０２およびチューナユニット１０３が設置される。【００１１】
すなわち、天板１０４、製品表示パネル１０５、側板１０６、１０７、１０８および底板１０９を箱型に構成することで光ディスクドライブ２およびチューナユニット３を内蔵する光ディスク再生装置１０１の筺体１１０となる。【００１２】
上述したような光ディスク再生装置１０１には、光ディスクドライブ１０２の機構部品に用いられているポリアセタール樹脂（ＰＯＭ）や各部材を接着する接着剤および電子部品を実装する基板などに揮発性有機化合物（Volatile Organic Compounds：ＶＯＣ）が含まれていることがある。【００１３】
ＶＯＣは常温で揮発しやすいため、揮発して人体や環境にさまざまな悪影響を及ぼす可能性があり、近年ＶＯＣの減少が要請されている。【００１４】
このような要請に対して、ＶＯＣを規制するための指針や基準などが、国や第三者機関あるいは製品を生産する企業自身が定めることが多くなっている。【００１５】
これらの指針や基準などに従いＶＯＣを削減するために、従来は、規制対象のＶＯＣを含まない材質から構成される部品や接着剤および基板に変更することで対処していた。
【発明の開示】
【発明が解決しようとする課題】
【００１６】
しかし、従来使用してきた例えば機構部品に使用されているＰＯＭは耐磨耗性に優れており、全ての置き換えは困難であった。このように、規制されるＶＯＣを含まない材質から構成される部品や接着剤および基板等は信頼性などの性能面で従来より劣る場合もあり代替が困難になるという問題があった。【００１７】
また、代替品が使用できた場合でも、その代替品に今後の規制の対象となるＶＯＣが含まれている可能性もある。【００１８】
そこで、本発明は、例えばＶＯＣを含む部材を使用した電子機器において、代替品を使用せずにＶＯＣの拡散を減少させる電子機器を提供することを課題とする。
【課題を解決するための手段】
【００１９】
上記課題を解決するために、請求項１記載の発明は、電子部品と、該電子部品を備えた基板と、機械機構部品と、のうち少なくとも１つを内蔵する筺体を備えた電子機器において、前記筺体内の少なくとも一つの面に設けられる光触媒物質と、前記光触媒物質へ光を照射する発光手段と、を備えたことを特徴としている。
【図面の簡単な説明】
【００２０】
【図１】従来技術における電子機器としての光ディスク再生装置の斜視図である。
【図２】本発明の第１の実施例にかかる光ディスク再生装置の斜視図である。
【図３】図２に示された光ディスク再生装置内部から揮発したＶＯＣが筺体に形成した光触媒に接触する際の説明図である。
【図４】（ａ）、（ｂ）ともに図２に示された光ディスク再生装置に設置した発光ダイオードの光の照射パターンの説明図である。
【図５】図２に示された光ディスク再生装置に設置した発光ダイオードの図４とは別の光の照射パターンの説明図である。
【図６】本発明の第２の実施例にかかる光ディスク再生装置の斜視図である。
【図７】図６に示された光ディスク再生装置内部から揮発したＶＯＣが筺体に形成した光触媒に接触する際の説明図である。
【図８】（ａ）、（ｂ）ともに図６に示された光ディスク再生装置に設置した発光ダイオードの光の照射パターンの説明図である。
【図９】図６に示された光ディスク再生装置に設置した発光ダイオードの図８とは別の光の照射パターンの説明図である。
【図１０】図６に示された光ディスク再生装置に設置した発光ダイオードの図８および図９とは別の光の照射パターンの説明図である。
【図１１】図６に示された光ディスク再生装置に設置した発光ダイオードの図８、図９および図１０とは別の光の照射パターンの説明図である。
【図１２】図１１の矢印Ｚ方向から見た光の照射パターンの説明図である。
【図１３】本発明の第３の実施例にかかる光ディスク再生装置に備えられたサーミスタの動作を説明するための筺体内の温度変化の一例の説明図である。
【図１４】図１３に示された温度変化に対応した発光ダイオードの電流値の変化の説明図である。
【符号の説明】
【００２１】
１        光ディスク再生装置（電子機器）
２        光ディスクドライブ（光ディスク再生手段）
４        天板
６、７、８       側板
１０      光触媒層（光触媒物質）
１１      発光ダイオード（発光手段）
２０      筺体
【発明を実施するための最良の形態】
【００２２】
以下、本発明の一実施形態にかかる電子機器を説明する。本発明の一実施形態にかかる電子機器は、電子機器の筺体内の少なくとも一つの面に光触媒物質を設け、光触媒物質へ光を照射する発光手段を備えている。このようにすることにより、ＶＯＣが、筺体内面の光を照射されて活性化した光触媒物質によって分解されるため、電子機器の外へ漏れて拡散することを減少させることができる。【００２３】
また、光触媒物質を電子機器の筺体内の天板に設けても良い。このようにすることによって、該電子機器の天板方向から漏れて拡散するＶＯＣを分解できるので、ＶＯＣが電子機器の外へ漏れて拡散することを減少させることができる。【００２４】
また、光触媒物質を電子機器の筺体内の側板に設けても良い。このようにすることによって、該電子機器において機械機構部品などが動作することで発生する気流によって筺体の側面から漏れて拡散するＶＯＣを分解できるので、ＶＯＣを電子機器の外へ漏れて拡散することを減少させることができる。【００２５】
また、電子機器筺体内の温度を検出する温度検出手段と、温度検出手段が検出した温度に基づいて発光手段の発光または消灯の制御を行う発光制御手段と、を備えても良い。このようにすることによって、ＶＯＣが揮発しない低温時には発光手段を消灯することができるので、不要な電力消費を無くすことができる。【００２６】
また、発光制御手段は、温度検出手段において検出した温度が所定値以上である場合は、発光手段を点灯させ、温度検出手段において検出した温度が所定値未満である場合は、前記発光手段を消灯させるように制御しても良い。このようにすることによって、発光手段を消灯する温度を設定することができ、点灯／消灯の制御を行うことができる。
【実施例１】
【００２７】
本発明の第１の実施例にかかる電子機器としての光ディスク再生装置１を図２ないし図５を参照して説明する。光ディスク再生装置１は、ＣＤやＤＶＤなどの光ディスクが再生可能な装置である。光ディスク再生装置１は図２に示すように光ディスクドライブ２と、チューナユニット３と、天板４と、製品表示パネル５と、側板６、７、８と、底板９とを備えている。【００２８】
光ディスクドライブ２は、ＣＤやＤＶＤなどの光ディスクを再生する装置であり、図示しない光ピックアップや、モータ、光ディスクを挿入／排出あるいは回転させるための機械機構部品、制御するための電子回路を構成する電子部品が実装された基板を備えており、これらは全て光ディスクドライブ筺体２ａ内に内蔵されている。また、光ディスクドライブ筺体２ａの天板４に向い合う面の四隅には、後述する発光ダイオード１１が各隅に一つずつ設置されている。【００２９】
チューナユニット３は、ＡＭおよびＦＭのラジオ放送を受信する装置であり、チューナ回路を構成する電子部品が実装された基板と、前記基板を内蔵する箱型のチューナ筺体を備えている。【００３０】
天板４は、光ディスク再生装置１の筺体２０の一部を構成し、矩形に形成された天板４の端部が、底板９と平行かつ製品表示パネル５と、側板６、７、８と鉛直になるように製品表示パネル５と、側板６、７、８に取り付けられる。【００３１】
天板４には、さらに光ディスクドライブ２と向い合う内面に光触媒層１０が形成されている。光触媒層は、光触媒物質を塗布することなどによってコーティングするか、フィルム状の光触媒物質を貼り付けることなどによって形成する。【００３２】
光触媒層１０は、光触媒物質により形成されており、光触媒物質は、紫外光や可視光などの光を照射することで活性化され、活性化された状態でＶＯＣが接触することによりＶＯＣをより不活性な成分（主に水および炭酸ガス）に分解するものであり、二酸化チタンが周知である。また、二酸化チタンは紫外光により活性化されるが、可視光で活性化する光触媒としては、窒素ドープ型／炭素ドープ型／硫黄ドープ型／フッ素ドープ型二酸化チタンが周知である。【００３３】
製品表示パネル５は、光ディスク再生装置１の筺体２０の一部を構成し、矩形に形成された製品表示パネル５の端部が、天板４、側板６、７および底板９と鉛直かつ、側板８と平行になるように天板４、側板６、７および底板９に取り付けられる。また、製品表示パネル５は、外面に各種操作を行うためのボタンやツマミおよび表示画面などを備えている。【００３４】
側板６は、光ディスク再生装置１の筺体２０の一部を構成し、矩形に形成された側板６の端部が、天板４、製品表示パネル５、側板８および底板９と鉛直かつ、側板７と平行になるように天板４、製品表示パネル５、側板８および底板９に取り付けられる。【００３５】
側板７は、光ディスク再生装置１の筺体２０の一部を構成し、矩形に形成された側板７の端部が、天板４、製品表示パネル５、側板８および底板９と鉛直かつ、側板６と平行になるように天板４、製品表示パネル５、側板８および底板９に取り付けられる。【００３６】
側板８は、光ディスク再生装置１の筺体２０の一部を構成し、矩形に形成された側板８の端部が、天板４、側板６、７および底板９と鉛直かつ、製品表示パネル５と平行になるように天板４、側板６、７および底板９に取り付けられる。また、側板８は、光ディスクドライブ２およびチューナユニット３からの音声や映像の図示しない出力端子や、光ディスクドライブ２およびチューナユニット３に供給する電源の図示しない電源端子などを備えている。【００３７】
底板９は、光ディスク再生装置１の筺体２０の一部を構成し、矩形に形成された底板９の端部が、製品表示パネル５、側板６、７、８と鉛直かつ、天板４と平行になるように製品表示パネル５、側板６、７、８に取り付けられる。底板９には光ディスクドライブ２およびチューナユニット３が設置される。【００３８】
すなわち、天板４、製品表示パネル５、側板６、７、８および底板９を箱型に構成することで光ディスクドライブ２およびチューナユニット３を内蔵する光ディスク再生装置１の筺体２０となる。【００３９】
発光手段としての発光ダイオード１１は、光触媒層１０を活性化させるために照射する光を発するために設けられ、天板４の光触媒層１０へ向けて光を照射する。また、発光ダイオード１１は光触媒層１０に使用される物質に合った波長の光を発するもの（紫外線で活性化される光触媒物質であれば紫外線を発するもの、可視光で活性化される光触媒物質であれば可視光を発するもの）が選択される。【００４０】
以上のような構成からなる光ディスク再生装置１において、ＶＯＣが光ディスク再生装置１の外部に拡散することを抑制する動作を説明する。【００４１】
光ディスクドライブ２内部の機械機構部品、電子部品、基板および接着剤などからＶＯＣが揮発すると、図３に示すように揮発した該ＶＯＣの分子１２が、天板４に設けた光触媒層１０に接触する。このとき、発光ダイオード１１から光触媒層１０に光が照射されていると、光触媒層１０が活性化されているので、光触媒層１０に接触したＶＯＣの分子１２は水と炭酸ガスに分解される。従って、ＶＯＣが光ディスク再生装置１外部に漏れて拡散することを抑制できる。【００４２】
図４（ａ）は光ディスク再生装置１を天板４方向から見た図、図４（ｂ）は図４（ａ）の矢印Ｘ方向、即ち側面から見た図である。光ディスクドライブ２の四隅の配置された発光ダイオード１１から発光された光がそれぞれ天板４のＡ、Ｂ、Ｃ、Ｄに示す領域を照射するときは、これらＡ、Ｂ、Ｃ、Ｄに示す領域に設けられた光触媒層が活性化されＶＯＣを分解する。【００４３】
また、ＶＯＣが多く揮発する場所が明らかな場合は、例えば図５に示すように、所定の領域に光が集中するように発光ダイオードの光の向きを調整しても良い。【００４４】
本実施例によれば、光ディスク再生装置１において、光ディスク再生装置１の筺体２０を構成する天板４の内面に光触媒層１０を設け、該光触媒層１０に対して発光ダイオードから光を照射することによって、光ディスク再生装置１に内蔵される光ディスクドライブ２などに使用される機械機構部品や電子部品や基板および接着剤などから揮発するＶＯＣを分解することができ、よって光ディスク再生装置２から漏れるＶＯＣを抑制することができる。
【実施例２】
【００４５】
次に本発明の第２の実施例にかかる電子機器としての光ディスク再生装置１を図６ないし図１２を参照して説明する。なお、前述した第１の実施例と同一部分には、同一符号を付して説明を省略する。【００４６】
本実施例は、基本的な構成は第１の実施例と同一であるが、光触媒層１０を設ける部材が天板４から、側板６、７および８の内面に変更されている。さらに、発光ダイオード１０も側板６、７および８内面の両端部に変更されている。【００４７】
本実施例は、図７に示すように光ディスクが再生などで光ディスクドライブ２の機械機構部品によって回転されている際には、光ディスクの回転によって生じる気流の影響により光ディスク再生装置１の側面方向にＶＯＣが多く揮発する可能性があるため、側板６、７および８の内面に光触媒層１０を形成し光を照射することでＶＯＣを分解している。【００４８】
図８（ａ）は光ディスク再生装置１の側板８を光触媒層１０が設けられた内面から見た図、図８（ｂ）は図８（ａ）の矢印Ｙ方向、即ち天板４方向から見た図である。側板８の両端の配置された発光ダイオード１１から発光された光がそれぞれ側板８のＥ、Ｆに示す領域を照射するときは、これＥ、Ｆに示す領域に設けられた光触媒層が活性化されＶＯＣを分解する。【００４９】
また、ＶＯＣが多く揮発する場所が明らかな場合は、第１の実施例のように所定の領域に光が集中するように発光ダイオードの光の向きを調整しても良い。また、照射領域を広くするために図９および図１０に示すように、発光ダイオード１１の数を増やしても良い。このようにすることによって、例えば図９であれば、Ｅ、Ｆ、Ｇ、Ｈに示す領域の光触媒層１０が活性化され、図１０であれば、Ｅ、Ｆ、Ｇ、Ｈ、Ｉ、Ｊに示す領域の光触媒層が活性化されるので、より多くのＶＯＣを分解することができる。【００５０】
また、側板６、７および８に光触媒層１０を設けた場合は、図１１に示すように、発光ダイオード１１を天板４の端部に設けても良い。図１２は図１１の矢印Ｚ方向、即ち製品表示パネル５から側板８の方向を見た図である（但し、光ディスクドライブ２およびチューナユニット３は図示していない）。このようにすることによって、側板８に設けられた光触媒層１０は、発光ダイオード１１が照射するＫ、Ｌ、Ｍ、Ｎ、Ｏ、Ｐ、Ｑ、Ｒ、Ｓ、Ｔに示す領域が活性化されＶＯＣが分解される。【００５１】
本実施例によれば、光ディスク再生装置１において、光ディスク再生装置１の筺体２０を構成する側板６、７および８の内面に光触媒層１０を設け、該光触媒層１０に対して発光ダイオード１１から光を照射することによって、光ディスク再生装置１に内蔵される光ディスクドライブ２などに使用される機械機構部品や電子部品や基板および接着剤などから揮発するＶＯＣを分解することができ、特に光ディスク再生中に揮発するＶＯＣを効率的に抑制することができる。【００５２】
なお、上述した第１および第２の実施例においては、天板４または側板６、７および８の内面に光触媒層１０を設けていたが、両方を組合せても良い。また、側板６、７および８の内面のうちいずれか１つまたは２つに光触媒層１０を設けても良い。さらに、製品表示パネル５や底板９の内面に光触媒層１０を設けても良い。勿論、製品表示パネル５や底板９に光触媒層１０を設けた場合は該光触媒層１０に光が照射されるように発光ダイオード１１を設ける必要がある。
【実施例３】
【００５３】
次に、本発明の第３の実施例にかかる電子機器としての光ディスク再生装置１を図１３および図１４を参照して説明する。なお、前述した第１の実施例および第２の実施例と同一部分には、同一符号を付して説明を省略する。【００５４】
本発明は、構成は第１の実施例または第２の実施例と同一であるが、発光ダイオード１１の発光を光ディスク再生装置１内の温度によって制御するために、図示しないサーミスタおよび制御装置が設けられている。【００５５】
温度検出手段としてのサーミスタは、光ディスク再生装置１筺体２０内の温度を検出するために光ディスク再生装置１筺体２０内に設けられる。サーミスタは、温度によって抵抗値が変化する素子であり、制御装置に接続されている。【００５６】
発光制御手段としての制御装置は、サーミスタに所定の電圧をかけておき、流れる電流値を検出することや、所定の電流を流しておき、サーミスタ両端の電圧値を検出することなどによってサーミスタの抵抗値、即ち温度を検出し、所定の温度になった場合には発光ダイオード１１が発光できるように発光ダイオード１１に流す電流を増加させ、所定の温度未満になった場合は発光ダイオード１１が消灯するように発光ダイオード１１に流す電流を減少または０にさせる。【００５７】
車載機器などにおいては常時発光ダイオード１１を点灯させておくと、バッテリに負担をかけてしまう可能性がある。また、ＶＯＣは、所定の温度以上でないと揮発が起らないので、揮発が発生しないような低い温度が低い温度の場合は消灯することで不要な電力消費を無くすことができる。【００５８】
図１３および図１４に光ディスク再生装置１筺体２０内の温度変化と発光ダイオード１１に流す電流値の変化のグラフを示す。図１３は縦軸に光ディスク再生装置１筺体２０内の温度を、横軸に時間をとり時間に対する温度の変化の一例を表したグラフである。図１４は縦軸に発光ダイオード１１（ＬＥＤ）の電流値と、横軸に時間をとり、図１３の温度変化に対応した時間に対する発光ダイオード１１の電流の変化を表したグラフである。【００５９】
ここで、ＶＯＣが揮発しない所定の温度をＴｔｈ、発光ダイオード１１が点灯する電流値をＩＨ、発光ダイオード１１が消灯する電流値をＩＬとすると、Ｔｔｈ以上の温度になったことがサーミスタの抵抗値から検出されると発光ダイオード１１を点灯させるために電流値をＩＨにし、Ｔｔｈ未満になったことがサーミスタの抵抗値から検出されると発光ダイオード１１を消灯させるために電流値をＩＬにするように制御装置が制御する。【００６０】
本実施例によれば、光ディスク再生装置１において、光ディスク再生装置１の筺体２０を構成する天板４の内面に光触媒層１０を設け、該光触媒層１０に対して発光ダイオードから光を照射することによって、光ディスク再生装置１に内蔵される光ディスクドライブ２などに使用される機械機構部品や電子部品や基板および接着剤などから揮発するＶＯＣを分解することができ、よって光ディスク再生装置２から漏れるＶＯＣを抑制することができる。さらに、サーミスタで光ディスク再生装置２内の温度を検出し、制御装置で検出された温度に応じて発光ダイオード１１の発光を制御することによって、揮発は起らないような低温時には発光ダイオード１１を消灯させることができるので不要な電力消費を無くすことができる。【００６１】
なお、上述した実施例では、温度によって発光ダイオード１１を点灯するか消灯するかの制御を行っていたが、温度によって揮発するＶＯＣの量が変化する場合は、それに合わせて発光ダイオード１１の光量が変化するように電流値を制御しても良い。即ち、ＶＯＣの揮発量が多くなるときは発光ダイオード１１の光量を多くして光触媒層１１がＶＯＣをより早く分解するようにすることで、一定時間内に光触媒層１１が分解するＶＯＣの量を多くする。【００６２】
また、上述した実施例では、温度検出手段としてサーミスタを用いたが、熱電対など他の温度センサを用いても良い。【００６３】
また、上述した実施例では、電子機器として光ディスク再生装置１を説明したが、それに限らず、映像機器や音響機器など機械機構部品、電子部品、基板および接着剤の少なくとも１つにＶＯＣを含むものを備えた電子機器に適用することができる。【００６４】
前述した実施例によれば、以下の光ディスク再生装置１が得られる。【００６５】
（付記１）電子部品と、該電子部品を備えた基板と、機械機構部品と、のうち少なくとも１つを内蔵する筺体２０を備えた光ディスク再生装置１において、天板４、製品表示パネル５、側板６、７、８、底板９のうち少なくとも一つの面に設けられる光触媒層１０と、光触媒層１０へ光を照射する発光ダイオード１１と、を備えたことを特徴とする光ディスク再生装置１。【００６６】
この光ディスク再生装置１によれば、ＶＯＣが、筺体２０に形成した発光ダイオード１１の光を照射されて活性化した光触媒層１０によって分解されるため、光ディスク再生装置１の外へ漏れて拡散することを減少させることができる。【００６７】
なお、前述した実施例は本発明の代表的な形態を示したに過ぎず、本発明は、実施例に限定されるものではない。すなわち、本発明の骨子を逸脱しない範囲で種々変形して実施することができる。
【図１】
2007148489.tif 000003
【図２】
2007148489.tif 000004
【図３】
2007148489.tif 000005
【図４】
2007148489.tif 000006
【図５】
2007148489.tif 000007
【図６】
2007148489.tif 000008
【図７】
2007148489.tif 000009
【図８】
2007148489.tif 000010
【図９】
2007148489.tif 000011
【図１０】
2007148489.tif 000012
【図１１】
2007148489.tif 000013
【図１２】
2007148489.tif 000014
【図１３】
2007148489.tif 000015
【図１４】
2007148489.tif 000016
【手続補正書】
【提出日】平成20年12月3日(2008.12.3)
【手続補正１】
【補正対象書類名】特許請求の範囲
【補正対象項目名】全文
【補正方法】変更
【補正の内容】
【特許請求の範囲】
【請求項１】
電子部品と、該電子部品を備えた基板と、機械機構部品と、のうち少なくとも１つを内蔵する筺体を備えた電子機器において、
前記筺体内の少なくとも一つの面に設けられる光触媒物質と、
前記光触媒物質へ光を照射する発光手段と、
前記筺体内の温度を検出する温度検出手段と、
前記温度検出手段が検出した温度に基づいて前記発光手段の発光または消灯の制御を行う発光制御手段と、
を備えたことを特徴とする電子機器。
【請求項２】
前記光触媒物質が、前記筺体内の天板に備えられたことを特徴とする請求項１に記載の電子機器。
【請求項３】
前記光触媒物質が、前記筺体内の側板に備えられたことを特徴とする請求項１または２に記載の電子機器。
【請求項４】
前記発光制御手段が、前記温度検出手段において検出した温度が所定値以上である場合は、前記発光手段を点灯させ、前記温度検出手段において検出した温度が所定値未満である場合は、前記発光手段を消灯させるように制御することを特徴とする請求項１乃至３のうちいずれか一項に記載の電子機器。
【手続補正２】
【補正対象書類名】明細書
【補正対象項目名】００１９
【補正方法】変更
【補正の内容】
【００１９】
上記課題を解決するために、請求項１記載の発明は、電子部品と、該電子部品を備えた基板と、機械機構部品と、のうち少なくとも１つを内蔵する筺体を備えた電子機器において、前記筺体内の少なくとも一つの面に設けられる光触媒物質と、前記光触媒物質へ光を照射する発光手段と、前記筺体内の温度を検出する温度検出手段と、前記温度検出手段が検出した温度に基づいて前記発光手段の発光または消灯の制御を行う発光制御手段と、を備えたことを特徴としている。
【手続補正３】
【補正対象書類名】明細書
【補正対象項目名】００２２
【補正方法】変更
【補正の内容】
【００２２】
以下、本発明の一実施形態にかかる電子機器を説明する。本発明の一実施形態にかかる電子機器は、電子機器の筺体内の少なくとも一つの面に光触媒物質を設け、光触媒物質へ光を照射する発光手段を備えている。このようにすることにより、ＶＯＣが、筺体内面の光を照射されて活性化した光触媒物質によって分解されるため、電子機器の外へ漏れて拡散することを減少させることができる。また、電子機器筺体内の温度を検出する温度検出手段と、温度検出手段が検出した温度に基づいて発光手段の発光または消灯の制御を行う発光制御手段と、を備えているので、ＶＯＣが揮発しない低温時には発光手段を消灯することができるので、不要な電力消費を無くすことができる。
【手続補正４】
【補正対象書類名】明細書
【補正対象項目名】００２５
【補正方法】削除
【補正の内容】
【手続補正５】
【補正対象書類名】明細書
【補正対象項目名】００６５
【補正方法】変更
【補正の内容】
【００６５】
（付記１）電子部品と、該電子部品を備えた基板と、機械機構部品と、のうち少なくとも１つを内蔵する筺体２０を備えた光ディスク再生装置１において、天板４、製品表示パネル５、側板６、７、８、底板９のうち少なくとも一つの面に設けられる光触媒層１０と、光触媒層１０へ光を照射する発光ダイオード１１と、筺体２０内の温度を検出するサーミスタと、サーミスタが検出した温度に基づいて発光ダイオード１１の発光または消灯の制御を行う制御装置と、を備えたことを特徴とする光ディスク再生装置１。
【手続補正６】
【補正対象書類名】明細書
【補正対象項目名】００６６
【補正方法】変更
【補正の内容】
【００６６】
この光ディスク再生装置１によれば、ＶＯＣが、筺体２０に形成した発光ダイオード１１の光を照射されて活性化した光触媒層１０によって分解されるため、光ディスク再生装置１の外へ漏れて拡散することを減少させることができ、さらに、ＶＯＣが揮発しない低温時には発光手段を消灯することができるので、不要な電力消費を無くすことができる。
【国際調査報告】
2007148489.tif 000017
2007148489.tif 000018